(57)【要約】【課題】  簡単な構造で視覚的に面白い動きを実現できる蓋体開閉機構を提供することを目的とする。【解決手段】蓋体１の左右両端にそれぞれ１組の略同一のリンク機構を設け、このリンク機構が、蓋体１とキャビネット２に回動自在に設けた第１のレバー５，５と、蓋体１とキャビネット２にそれぞれ設けた摺動溝４，４，７，７に摺動自在かつ回動自在に係合した第２のレバー６，６を、このレバー５，５，６，６の中間位置で連結ピン８，８により連結したものである。【選択図】  図１  
2005063557.tif 000002
【特許請求の範囲】
【請求項１】
キャビネットの開口を覆うように設けた蓋体を開閉自在とする蓋体開閉機構であって、
前記蓋体を対向する２組の略同一のリンク機構によって前記キャビネットに連結し、前記リンク機構は、
第１のレバーと第２のレバーとがそれぞれの中間位置に設けた連結ピンで互いに回動自在に連結し、
前記第１のレバーの一端及び他端は前記キャビネット及び前記蓋体に回動自在に係合し、
前記第２のレバーの一端及び他端は前記キャビネット及び前記蓋体に設けた摺動溝に摺動自在かつ回動自在に係合している
ことを特徴とする蓋体開閉機構。
【発明の詳細な説明】
【技術分野】
【０００１】
本発明は例えば、コンパクトディスク（ＣＤ）プレーヤの蓋体の開閉機構に使用して好適な蓋体開閉機構に関する。
【背景技術】
【０００２】
従来、ＣＤプレーヤの蓋体の開閉機構としては、図５に例示するようなものや特許文献１に開示されたものが広く用いられている。図５はディスクプレーヤを示し、３１は蓋体、３２はキャビネット、３３はストッパ付きヒンジ、３４は蓋体ロック機構を示し、また、１３は光学ブロック、１４はディスク状記録媒体である。このようなディスクプレーヤは、蓋体３１のロック機構３４のロックを解除して蓋体３１を上方向に回動・開放してＣＤのようなディスク状記録媒体１４を光学ブロック１３のターンテーブルに装着し、蓋体３１を閉じた状態で再生動作を行なう。
【０００３】
このようにディスクプレーヤは、ターンテーブルに装着したディスク状記録媒体１４を安定的に回転させるために、ディスク状記録媒体１４を覆うように開閉自在な蓋体３１を設ける。一般に最も簡潔な構造の蓋体は、その背面側に設けているピンを中心として回動自在にするヒンジ式のものである。
また、特許文献１には、ディスク状記録媒体を収納する機器本体の一側面要部に蓋支軸を設け回動自在に構成されたコンパクトディスクプレーヤ等の小型音響機器に関するものが開示されている。
【特許文献１】特開平８−１８０６６３号公報
【発明の開示】
【発明が解決しようとする課題】
【０００４】
しかしながら、図５及び特許文献１に示されるディスクプレーヤは、何れもディスク状記録媒体を覆うように開閉自在に取付けられる蓋体を単一の支点を用いて開閉する、所謂通常の支点軸を使った蓋方式の開閉機構である。このため、構造が単純でコスト的にも有利であるが、単なる回動動作しか行なわないため動作時の面白みに欠け、この蓋体の開閉動作そのものに魅力を持たせることができない。
また、モータ駆動などを利用して蓋体を任意の軌跡で移動させるようにもできるが、このような構造を採用したときは、蓋体の開閉機構の構造が複雑になり電気的な制御も必要で、部品点数が増加し、コスト的に不利になるという不都合がある。
【０００５】
本発明は、かかる点に鑑みてなされたものであって、簡単な構造で視覚的に面白い動きを実現できる蓋体開閉機構を提供することを目的とする。
【課題を解決するための手段】
【０００６】
本発明蓋体開閉機構は、キャビネットの開口を覆うように設けた蓋体を開閉自在とする蓋体開閉機構であって、この蓋体を対向する２組の略同一のリンク機構によってこのキャビネットに連結し、このリンク機構が、第１のレバーと第２のレバーとがそれぞれの中間位置に設けた連結ピンで互いに回動自在に連結し、この第１のレバーの一端及び他端でこのキャビネット及びこの蓋体に回動自在に係合し、この第２のレバーの一端及び他端でこのキャビネットとこの蓋体に設けた摺動溝に摺動自在かつ回動自在に係合するものである。
【０００７】
このように構成したので本発明によれば、蓋体とキャビネットを連結する２組の対向したリンク機構が蓋体の開閉に伴い、第１のレバーの一端が蓋体で回動し他端がキャビネットで回動するとともに、第２のレバーの一端の回動・摺動ピンが蓋体に設けた摺動溝を回動しながら摺動し他端の回動・摺動ピンがキャビネットに設けた摺動溝を回動しながら摺動するものとなる。
【発明の効果】
【０００８】
本発明蓋体開閉機構によれば、第１のレバーで蓋体の開閉動作を担い、この第１のレバーと連結ピンで連結された第２のレバーが開閉動作での蓋体の姿勢を定めるものとなり、開閉動作の過程で第２のレバーの両端の回動・摺動ピンが蓋体とキャビネットの摺動溝を回動しながら摺動し、蓋体が回動運動と並進運動を合わせた動作を行なうため、簡易な構造で視覚的に面白い蓋体の動きを実現することができる。
【発明を実施するための最良の形態】
【０００９】
以下、本発明の蓋体開閉機構の実施の形態の例を図１〜図４を参照して説明する。
【００１０】
図１〜４において、２はプラスチックなどの合成樹脂材料などにより成形されたディスクプレーヤのキャビネットを示し、このキャビネット２の中に光学ブロック１３、ディスク記録媒体１４、電源ユニット、制御回路基板などを収納し、正面には操作釦などを設けている。そして、キャビネット２は、箱の一部を斜めに切断・除去して開口２ａを設けた形状をなしている。
【００１１】
そして、このキャビネット２には、開口２ａを開閉自在に覆う蓋体１を設ける。
この蓋体１はプラスチックなどの合成樹脂材料などにより成形され、この蓋体１は対向する側面１ａ-1，１ａ-2が台形をなす浅い箱を伏せた形状で、キャビネット２の開口２ａを覆う大きさとしている。
【００１２】
上述キャビネット２と蓋体１は、図１に示すように、対向する２組の略同一のリンク機構によって連結される。
本例において、リンク機構は図１，図２に示すように、２つの所定長さの一方及び他方のレバー５及び６の中間位置に設けた連結ピン８で互いに回動自在に連結したものである。
そして、同じように構成したリンク機構をキャビネット２と蓋体１の左右のそれぞれの側に１組ずつ設けて蓋体開閉機構が構成される。
【００１３】
この一方のレバー５は、一端が蓋体１側面内壁の下部に設けた回動ピン１１に回動自在に係合し、他端がキャビネット２側面内壁の開口２ａの上部に設けた回動ピン１２に回動自在に係合する如くなす。
【００１４】
この他方のレバー６は、一端に回動自在で摺動自在な回動・摺動ピン２１を設け、この回動・摺動ピン２１で蓋体１の側面１ａ内壁に側面１ａの端面に略平行に設けた摺動溝４に摺動自在かつ回動自在に係合する如くなす。
また、他方のレバー６の他端にも回動自在で摺動自在な回動・摺動ピン２２を設け、この回動・摺動ピン２２でキャビネット２の側面２ｂ内壁の開口２ａ付近でこの開口２ａの端面に略平行に設けた摺動溝７に摺動自在かつ回動自在に係合する如くなす。
【００１５】
図２に示すように、一方のレバー５の連結ピン８の中心と、キャビネット２の回動ピン１２の中心との距離をｍ１、蓋体１の回動ピン１１の中心との距離をｍ２とする。
また、他方のレバー６の連結ピン８の中心と、キャビネット２の回動・摺動ピン２２の中心との距離をｎ１、蓋体１の回動・摺動ピン２１の中心との距離をｎ２とする。
【００１６】
そして、蓋体１の回動ピン１１の中心と、蓋体１の摺動溝４の一端４ａに係止した状態の回動・摺動ピン２１の中心との距離Ｌ２を、略ｍ２＋ｎ２とする。
また、キャビネット２での一方のレバー５の回動ピン１２の中心と、キャビネット２の摺動溝７の一端７ａに係止した状態の摺動・回動ピンの中心との距離Ｌ１を、略ｍ１＋ｎ１とする。
【００１７】
上述の寸法関係は、図３の蓋体１の閉状態に示すように、蓋体１の摺動溝４の一端４ａとキャビネット２の摺動溝７の一端７ａは、それぞれ蓋体１が閉のときの回動・摺動ピン２１と回動・摺動ピン２２の位置を規定するものとなる。
【００１８】
一方、この摺動溝４の他端４ｂと摺動溝７の他端７ｂのそれぞれの位置は、図２に示すように、蓋体１が全開のときの回動・摺動ピン２１と回動・摺動ピン２２の位置を規定するものであり、摺動溝の他端４ｂ，７ｂの位置は蓋体１の全開のときの蓋体１の姿勢を与えるものとなる。
【００１９】
すなわち、全開状態において蓋体１での摺動溝４の他端４ｂの位置とキャビネット２での摺動溝７の他端７ｂの位置を、蓋体１が所望の姿勢となるように設けることができる。
例えば図２で、全開状態における蓋体１を図示の破線で示す姿勢とするとき、キャビネット２の摺動溝７を他端７ｂから７’ｂまで延長し、蓋体１の摺動溝４を他端４ｂから４’ｂまで延長することでかかる姿勢を実現することができる。
【００２０】
本例は上述の如く構成されているので、蓋体１を図３の全閉状態から図２のように開動作させると、一方のレバー５の一端が蓋体１の回動ピン１１周りに、また、この一方のレバー５の他端がキャビネット２の回動ピン１２周りに回動する。
これと同時に、他方のレバー６が連結ピン８を中心に回動し、この他方のレバー６の一端の回動・摺動ピン２１が摺動溝４を回動しながら、摺動溝４の移動始点となる一端４ａから終点となる他端４ｂまで摺動する。また、他方のレバー６の他端の回動・摺動ピン２２が摺動溝７を回動しながら、摺動溝７の移動始点となる一端７ａから終点となる他端７ｂまで摺動する。
【００２１】
そして、移動の終点となる摺動溝４，７の他端４ｂ，７ｂまで回動・摺動ピン２１，２２が移動して蓋体１が全開となる。
このようにして、蓋体１は全閉から全開まで滑らかに姿勢を変えながら開動作し、また逆に閉動作するものとなる。
【００２２】
このときの蓋体１の動作は、図４に示すように、回動運動と並進運動を合わせたようなものとなり、蓋体の下端と上端とは描く軌跡が異なるものとなる。そして、図４に示すように、蓋体１が全開のときに、蓋体１がほぼ完全にキャビネット２の開口２ａから離れ、開口２ａの正面には障害物がない状態にすることができる。
また、キャビネット２の開口２ａ付近では、図４に示すように、このキャビネット２の開口２ａに対して蓋体１が、略平行に開動作または閉動作するものとなる。
【００２３】
本例の蓋体開閉機構によれば、一方のレバー５，５で蓋体１の開閉動作を担い、他方のレバー６，６が開閉動作における蓋体１の姿勢を定めるものとなり、開閉動作の過程で他方のレバー６，６の一端の回動・摺動ピン２１，２１が蓋体１の摺動溝４，４を回動しながら摺動し、他端の回動・摺動ピン２２，２２がキャビネット２の摺動溝７，７を回動しながら摺動し、蓋体１が回動運動と並進運動を合わせた動作を行なうため、簡易な構造で視覚的に面白い動きを実現することができる。
また、キャビネット２の開口２ａ付近では、開口２ａに対して蓋体１が略平行に動作するので、蓋体１の内面中央にチャッキングプレートを設けてＣＤなどのディスク状記録媒体をターンテーブルに押付け、回転自在に保持することができる。
【００２４】
尚、上述例では蓋体１とキャビネット２で他方のレバー６の端部を摺動自在するために溝を設けたが、この代わりにスリットをもつ部品で摺動自在としてもよい。
【００２５】
また、本発明は、上述例に限ることなく本発明の要旨を逸脱しない範囲で種々変更できるものである。
【図面の簡単な説明】
【００２６】
【図１】本発明蓋体開閉機構の実施の形態の例を示すディスクプレーヤの一部切欠き斜視図である。
【図２】図１の蓋体全開時の側面断面図である。
【図３】図１の蓋体全閉時の側面断面図である。
【図４】図１の開閉時の蓋体の軌跡の説明に供する側面断面図である。
【図５】従来ディスクプレーヤの例を示す側面断面図である。
【符号の説明】
【００２７】
１・・・・蓋体、２・・・・キャビネット、２ａ・・・・開口、４，７・・・・摺動溝、４ａ，４ｂ，７ａ，７ｂ・・・・（摺動溝の）端、５，６・・・・レバー、８・・・・連結ピン、１１，１２・・・・回動ピン、２１，２２・・・・回動・摺動ピン
【図１】
2005063557.tif 000003
【図２】
2005063557.tif 000004
【図３】
2005063557.tif 000005
【図４】
2005063557.tif 000006
【図５】
2005063557.tif 000007